(57)【特許請求の範囲】
【請求項１】
給紙トレイに載置された原稿を、一枚ずつ分離して原稿搬送路へ取り込み、プラテンガラス位置で原稿の画情報が読み取られた後、排紙口から排出する原稿搬送装置において、
前記原稿搬送装置をプラテンガラス上に付設し、該原稿搬送装置の本体両側方のフレームに駆動ローラの回転軸が取り付けられ、前記ローラは一定位置に配置されて原稿の送りムラが発生しないように構成し、前記プラテンガラス上に設けられた原稿のガイド部材と、前記プラテンガラスから前記排出口まで原稿を案内する案内部材とを、それぞれ別の駆動ローラの回転軸に回動自在に取り付け、
該ガイド部材と案内部材の側面部にはそれぞれ突起部を構成し、該突起部と突起部の間を連結具を介して連結し、該連結具は、略釣り針状のプレートで、フック部と胴部とから成り、該胴部の内側面には孔部を形成し、
前記案内部材の回動により、前記連結具を介して前記ガイド部材を連動して回動させ、前記プラテンガラスの上方付近が開放されるように構成したことを特徴とする原稿搬送装置。
【請求項２】
前記連結具のフック部を、前記ガイド部材又は前記案内部材の、突起部の少なくともいずれか一方に対し係脱自在とし、該連結具を外すことにより、前記ガイド部材及び案内部材を回転軸から取り外し可能としたことを特徴とする請求項１記載の原稿搬送装置。
【発明の詳細な説明】
【０００１】
【発明の属する技術分野】
本発明は、複写機やファクシミリ等、あるいは、その両機能を有する画像形成装置に付設される自動原稿搬送装置（ＡＤＦ）の構造に関する。
【０００２】
【従来の技術】
従来より、複写機やファクシミリ等、あるいは、その両機能を有する画像形成装置の上部には、自動原稿搬送装置（ＡＤＦ）が付設されている。
このＡＤＦの取込口にセットされた原稿は、始動操作により自動的にＡＤＦ内へ取り込まれ、搬送経路に沿ってＵターンし、読取位置であるプラテンガラス上を通過して、その画情報が読み取られ、該取込口の下方の排紙口より排出されていた。
【０００３】
この種のＡＤＦは原稿搬送経路に沿った幾つかのカバーに分割して構成され、原稿ジャム等が発生した場合、該カバーを開放して、メンテナンスを行う。
これらのカバーは原稿の搬送経路のガイド面を兼ねており、プラテンガラス上に設けられたガイドカバーと、プラテンガラスから排紙口まで原稿を案内する案内カバーと、給紙口からプラテンガラス付近まで原稿を案内する上部カバー等から成り、それぞれ別の軸に回動自在に取り付けられている。
また、これらのカバーには原稿を繰り送る搬送ローラが取り付けられ、該搬送ローラは、各カバーを閉じた状態で、原稿搬送経路に沿って適宜位置に配列される。
【０００４】
しかし、上記構成では、回動する各カバーに搬送ローラが取り付けられているため、ＡＤＦの剛性や、各ローラへの駆動伝達、ローラの位置が一定とならない等の問題から、原稿の送りムラが発生しやすい。そこで、前記搬送ローラをＡＤＦ側方の固定フレームで軸支し、さらにプラテンガラスに対してはガイドカバーを押し当て、特にプラテンガラス上では送りムラが発生しないようにして、改良がなされた。こうして原稿の送りムラを減少させて読取精度の向上が図られている。
【０００５】
【発明が解決しようとする課題】
しかしながら、プラテンガラス付近で紙詰まりが発生した場合等、ＡＤＦの上部カバーを開放し、案内カバーを開放した上で、その奥のガイドカバーを開放しなければならず、その処理がなかなか面倒であった。
本発明では、この点を鑑み、プラテンガラスの清掃等、ＡＤＦ内のメンテナンスを容易にすることを課題とする。
【０００６】
【課題を解決するための手段】
本発明は以上のような課題を解決すべく、次のような手段を用いるものである。
すなわち、請求項１記載の如く、給紙トレイに載置された原稿を、一枚ずつ分離して原稿搬送路へ取り込み、プラテンガラス位置で原稿の画情報が読み取られた後、排紙口から排出する原稿搬送装置において、前記原稿搬送装置をプラテンガラス上に付設し、該原稿搬送装置の本体両側方のフレームに駆動ローラの回転軸が取り付けられ、前記ローラは一定位置に配置されて原稿の送りムラが発生しないように構成し、前記プラテンガラス上に設けられた原稿のガイド部材と、前記プラテンガラスから前記排出口まで原稿を案内する案内部材とを、それぞれ別の駆動ローラの回転軸に回動自在に取り付け、該ガイド部材と案内部材の側面部にはそれぞれ突起部を構成し、該突起部と突起部の間を連結具を介して連結し、該連結具は、略釣り針状のプレートで、フック部と胴部とから成り、該胴部の内側面には孔部を形成し、前記案内部材の回動により、前記連結具を介して前記ガイド部材を連動して回動させ、前記プラテンガラスの上方付近が開放されるように構成したものである。
【０００７】
また、請求項２記載の如く、前記連結具のフック部を、前記ガイド部材又は前記案内部材の、突起部の少なくともいずれか一方に対し係脱自在とし、該連結具を外すことにより、前記ガイド部材及び案内部材を回転軸から取り外し可能としたものである。
【０００８】
【発明の実施の形態】
本発明の実施の形態を、ファクシミリ装置１を参照しながら説明する。
図１はファクシミリ装置１の斜視図、図２はＡＤＦ２の斜視図、図３はＡＤＦカバー２１が閉じられた状態でのＡＤＦ２の側面図、図４はＡＤＦカバー２１を開放した状態でのＡＤＦ２の側面図、図５ＡＤＦカバー２１、及びインナーガイド２２・２３を開放した状態でのＡＤＦ２の側面図、図６連結具２５の側面図、図７は同じく正面図である。
【０００９】
尚、以下の説明では、図１における矢視Ｆ方向を前方として、各構造体の前後左右位置を説明する。また、その他の図面における各構造体の前後左右位置も図１に準ずるものとする。
【００１０】
図１及び図３に示すように、ファクシミリ装置１の上部一端には、原稿を自動的に読取装置へ給送する自動原稿搬送装置（以下「ＡＤＦ」）２が付設されている。
【００１１】
給紙トレイ３に載置された原稿は、一枚ずつ分離されてＡＤＦ２内の原稿搬送路９へと取り込まれ、プラテンガラス８位置で装置本体側の読取装置により原稿の画情報が読み取られた後に、排紙口２ｂから排出されて、排紙トレイ４上に積載される。そして、この読み取られた画情報は電気信号に変換され、電話線を介して相手先に送信される。
【００１２】
図２乃至図５に示すように、前記ＡＤＦ２は開放可能に構成され、原稿搬送路９で紙詰まりが発生した場合等、装置上方からのメンテナンスが可能に構成されている。
【００１３】
前記ＡＤＦ２は図２に示すように、原稿搬送路９のガイド面を形成するＡＤＦ本体２０、ＡＤＦカバー２１、インナーガイド２２・２３等の枠体と、該原稿搬送路９に沿って配置されるローラ３０・３１・３２・３３・３４・３５・３６・３７・３８・・・等から成り、該ＡＤＦカバー２１、及び該インナーガイド２２・２３は、ＡＤＦ本体２０に対して上下回動可能に取り付けられている。
【００１４】
図３に示すように、ＡＤＦカバー２１はＡＤＦ本体２０後端部の回動支点軸２９で軸支され、一方のインナーガイド２２・２３はそれぞれその一端部を、ＡＤＦ本体２０側方のフレームに軸支された前記ローラ３５・・の回転軸３５ａ・３９ａに係合させて、着脱自在な構成で取り付けられている。
【００１５】
また、他のローラ３５・３６・３７・３８・・・の回転軸もＡＤＦ本体２０両側方のフレームに取り付けられており、これにより各ローラ３５・３６・３７・３８・・・が一定位置に配置されて、原稿の送りムラを発生させず、精確に繰り送ることができる。
【００１６】
そして、インナーガイド２２・２３とは、その両端で連結具２５・２５により連結され、インナーガイド２２を回動させると、連動してインナーガイド２３も回動する構成である。
【００１７】
図６及び図７に示すように、前記連結具２５は、略釣り針状のプレートで、フック部２５ａと胴部２５ｂとから成り、該胴部２５ｂの内側面には孔部２５ｃが形成されている。
【００１８】
また一方、図３に示すように、インナーガイド２２の一側面の後端部には凸起部２２ａが凸設され、また、インナーガイド２３の両側面の前端部には凸起部２３ａが形成されている。図示は省略するが、インナーガイド２２・２３の他側の側面においても同様に、凸起部２２ａ・２３ａがそれぞれ形成されている。
【００１９】
このような構成で、連結具２５の胴部２５ｂの孔部２５ｃをインナーガイド２３の凸起部２３ａに嵌め込み、そのフック部２５ａをインナーガイド２２の凸起部２２ａに引っ掛ける。こうして連結具２５・２５をインナーガイド２２・２３に容易に取り付けることができる。
また、フック部２５ａを凸起部２２ａから外すことで、連結具２５を簡単に取り外すことができる構成にもなっている。
【００２０】
以上のようにＡＤＦ２を構成し、該ＡＤＦ２内のメンテナンスをするときには、まず、図４に示すように、ＡＤＦカバー２１を開放し、そして、図５に示すように、インナーガイド２２を上方へ回動する。このとき、インナーガイド２２の凸起部２２ａと係合する連結具２５が引き上げられ、これにより該連結具２５と嵌合するインナーガイド２３の凸起部２３ａも引き上げられ、インナーガイド２３が上方回動される。こうして、簡単にプラテンガラス８の上方付近が開放されて、装置上方からインナーガイド２２・２３の背面（下面）、並びにプラテンガラス８の上面を覗き込むことができ、ジャム処理や清掃等が容易に行え、メンテナンス性の向上を図ることができる。
【００２１】
さらに、連結具２５・２５をインナーガイド２２・２３から取り外せば、該インナーガイド２２・２３をそれぞれの回転軸３５ａ・３９ａから取り外すことができ、これによりプラテンガラス８の上方付近がより広く開放されて、さらにメンテナンスがし易くなる。
【００２２】
【発明の効果】
本発明は以上の如く構成したので、以下のような効果を奏ずるものである。
すなわち、請求項１のように、給紙トレイに載置された原稿を、一枚ずつ分離して原稿搬送路へ取り込み、プラテンガラス位置で原稿の画情報が読み取られた後、排紙口から排出する原稿搬送装置において、前記原稿搬送装置をプラテンガラス上に付設し、該原稿搬送装置の本体両側方のフレームに駆動ローラの回転軸が取り付けられ、前記ローラは一定位置に配置されて原稿の送りムラが発生しないように構成し、前記プラテンガラス上に設けられた原稿のガイド部材と、前記プラテンガラスから前記排出口まで原稿を案内する案内部材とを、それぞれ別の駆動ローラの回転軸に回動自在に取り付け、該ガイド部材と案内部材の側面部にはそれぞれ突起部を構成し、該突起部と突起部の間を連結具を介して連結し、該連結具は、略釣り針状のプレートで、フック部と胴部とから成り、該胴部の内側面には孔部を形成し、前記案内部材の回動により、前記連結具を介して前記ガイド部材を連動して回動させ、前記プラテンガラスの上方付近が開放されるように構成したので、簡単にプラテンガラスの上方付近が開放され、装置上方からガイド部材、案内部材の背面（下面）、並びにプラテンガラスの上面を覗き込むことができ、ジャム処理や清掃等が容易に行え、メンテナンス性の向上を図ることができる。
【００２３】
また、請求項２のように、前記連結具のフック部を、前記ガイド部材又は前記案内部材の、突起部の少なくともいずれか一方に対し係脱自在とし、該連結具を外すことにより、前記ガイド部材及び案内部材を回転軸から取り外し可能としたので、該連結具を、該ガイド部材、又は該案内部材から容易に取り外すことができ、必要に応じて、該ガイド部材、又は該案内部材を取り外して、プラテンガラス上方付近をより広く開放することができ、ジャム処理や清掃等のメンテナンスをさらに容易に行うことができる。
【図面の簡単な説明】
【図１】ファクシミリ装置１の斜視図。
【図２】ＡＤＦ２の斜視図。
【図３】ＡＤＦカバー２１が閉じられた状態でのＡＤＦ２の側面図。
【図４】ＡＤＦカバー２１を開放した状態でのＡＤＦ２の側面図。
【図５】ＡＤＦカバー２１、及びインナーガイド２２・２３を開放した状態でのＡＤＦ２の側面図。
【図６】連結具２５の側面図。
【図７】同じく正面図。
【符号の説明】
１    ファクシミリ装置
２    ＡＤＦ
８    プラテンガラス
２１    ＡＤＦカバー
２２    インナーガイド
２２ａ  凸起部
２３    インナーガイド
２３ａ  孔部
２５    連結具
２５ａ  フック部
２５ｂ  胴部
２５ｃ  凸起部
３５ａ  回転軸
３９ａ  回転軸
【図１】
0003867504.tif 000002
【図２】
0003867504.tif 000003
【図３】
0003867504.tif 000004
【図４】
0003867504.tif 000005
【図５】
0003867504.tif 000006
【図６】
0003867504.tif 000007
【図７】
0003867504.tif 000008